(57)【要約】【課題】本発明は、補聴器に関するもので、装着性を向上することを目的とするものである。【解決手段】そして、この目的を達成するために本発明は、耳１の背面に装着される本体ケース２と、この本体ケース２にその一端側が連結され、他端側にはイヤーピース５が連結されるひも状の音導体３とを備え、前記音導体３の他端側は、前記イヤーピース５の外耳道６への挿入部上方を、このイヤーピース５よりも前記本体ケース２側に横切り、その後このイヤーピース５への挿入部よりも下方まで下げられた後に前記イヤーピース５に連結される構成とし、この音導体３の他端側で前記イヤーピース５の挿入部よりも下方まで下げられた部分に、対耳珠７への係合部３ｃを形成した。【選択図】図１
2011193331.tif 000002
【特許請求の範囲】
【請求項１】
耳の背面に装着される本体ケースと、
この本体ケースにその一端側が連結され、他端側にはイヤーピースが連結されるひも状の音導体とを備え、
前記音導体の他端側は、前記イヤーピースの外耳道への挿入部上方を、このイヤーピースよりも前記本体ケース側に横切り、その後このイヤーピースへの挿入部よりも下方まで下げられた後に前記イヤーピースに連結される構成とし、
この音導体の他端側で前記イヤーピースの挿入部よりも下方まで下げられた部分に、対耳珠への係合部を形成した補聴器。
【請求項２】
前記音導体は音道パイプにより形成した請求項１に記載の補聴器。
【請求項３】
前記音導体は音道ワイヤーにより形成した請求項１に記載の補聴器。
【請求項４】
前記本体ケースの上部には、音導体の一端を連結する結合部を形成し、前記音導体の一端側から中部までの部分には、イヤーピースの外耳道への挿入部よりも本体ケースとは反対側を下方に下がる延長部を形成し、この延長部に続く中部は、イヤーピースの外耳道への挿入部上方を、このイヤーピースよりも前記本体ケース側に横切り、この中部に続く他端側は、前記イヤーピースへの挿入部よりも下方まで下げられた後に前記イヤーピースに連結される構成とした請求項１から３のいずれか一つに記載の補聴器。
【請求項５】
前記係合部は、断面を円形とした請求項１から４のいずれか一つに記載の補聴器。
【発明の詳細な説明】
【技術分野】
【０００１】
本発明は、耳掛けタイプの補聴器に関する。
【背景技術】
【０００２】
従来のこの種補聴器の構成は以下のようになっていた。
すなわち、耳の背面に装着される本体ケースと、この本体ケースにその一端側が連結され、他端側にはイヤーピースが連結されるひも状の音導体とを備えた構成となっており、前記音導体の他端側には、耳の対耳珠に係合させるひも状の係合具を取り付けていた（例えば、下記特許文献１）。
【０００３】
つまり、本体ケースを耳の背面側に装着し、イヤーピースを外耳道に挿入後、前記係合具を耳の対耳珠に係合させることにより、イヤーピースが外耳道から外れないようにしたものである。
【先行技術文献】
【特許文献】
【０００４】
【特許文献１】米国特許出願公開第２００５／０００２５３９号明細書
【発明の概要】
【発明が解決しようとする課題】
【０００５】
従来例における課題は、耳の背面に装着される本体ケースが不安定であり、また、係合具の装着性が悪ことであった。すなわち、本体ケースは耳の背面に単に置かれ最短距離となる耳珠の近傍をひも状の音導体が配置されているだけで動きやすい為に装用感を阻害していた。また、この係合具の一端は音導体に結合されているが、その他端は遊端となっているので、この係合具を耳の対耳珠に係合させるためには前記一端側をつまんで、この係合具を変形させながら対耳珠に係合させる必要があり、このとき係合具はひも状でしかも小さな物であるので、これをつまんで前記対耳珠への係合作業は大変難しく、これが前述の装着性の悪さを引き起こすことになっていた。
【０００６】
そこで、本発明は、装用感と装着性を向上することを目的とするものである。
【課題を解決するための手段】
【０００７】
そしてこの目的を達成するために、耳の背面に装着される本体ケースと、この本体ケースにその一端側が連結され、他端側にはイヤーピースが連結されるひも状の音導体とを備え、前記音導体の他端側は、前記イヤーピースの外耳道への挿入部上方を、このイヤーピースよりも前記本体ケース側に横切り、その後このイヤーピースへの挿入部よりも下方まで下げられた後に前記イヤーピースに連結される構成とし、この音導体の他端側で前記イヤーピースの挿入部よりも下方まで下げられた部分に、対耳珠への係合部を形成し、これにより所期の目的を達成するものである。
【発明の効果】
【０００８】
以上のように本発明は、耳の背面に装着される本体ケースと、この本体ケースにその一端側が連結され、他端側にはイヤーピースが連結されるひも状の音導体とを備え、前記音導体の他端側は、前記イヤーピースの外耳道への挿入部上方を、このイヤーピースよりも前記本体ケース側に横切り、その後このイヤーピースへの挿入部よりも下方まで下げられた後に前記イヤーピースに連結される構成とし、この音導体の他端側で前記イヤーピースの挿入部よりも下方まで下げられた部分に、対耳珠への係合部を形成したものであるので、耳への装用感と装着性の向上を図ることができる。
【０００９】
すなわち、本発明における前記音導体の他端側は、前記イヤーピースの外耳道への挿入部上方を、このイヤーピースよりも前記本体ケース側に横切り、その後このイヤーピースへの挿入部よりも下方まで下げられた後に前記イヤーピースに連結される構成とし、この音導体の他端側で前記イヤーピースの挿入部よりも下方まで下げられた部分に、対耳珠への係合部を形成したものであるので、係合部は音導体の他端側を一体的に構成したものとなり、従って、この係合部を耳の対耳珠に係合させるときに、指で対耳珠側に押し込むだけで良く、この結果として耳への装用感と装着性の向上を図ることができるものである。
【図面の簡単な説明】
【００１０】
【図１】本発明の一実施形態にかかる補聴器を耳に装着した側面図
【図２】本発明の一実施形態にかかる補聴器を耳に装着した正面図
【図３】本発明の一実施形態にかかる補聴器の側面図
【図４】本発明の一実施形態にかかる補聴器の上面図
【図５】本発明の一実施形態にかかる補聴器の下面図
【発明を実施するための形態】
【００１１】
以下に、本発明の一実施形態を図面とともに詳細に説明する。
【００１２】
（実施の形態１）
図１、図２は、本発明の一実施形態にかかる補聴器を耳に装着した状態を示し、耳１の
背面側には、本体ケース２が装着されている。この本体ケース２の上部には、ひも状の音導体３の一端を連結する結合部４が設けられており、この結合部４にひも状の音導体３の一端が連結されている。また、音導体３の他端側にはイヤーピース５が連結されており、このイヤーピース５は本実施形態においては全て図２のごとく外耳道６内に挿入されるようになっている。
【００１３】
前記ひも状の音導体３は、図１〜図５から理解されるように、前記本体ケース２の上部の結合部４に連結される一端側から中部までの部分は、イヤーピース５の外耳道６の挿入部よりも本体ケース２とは反対側を下方に下がる延長部３ａとなっている。
また、この延長部３ａに続く中部３ｂは、イヤーピース５の外耳道６への挿入部上方を、このイヤーピース５よりも前記本体ケース２側に横切り、この中部３ｂに続く他端側は、前記イヤーピース５の挿入部よりも下方まで下げられた後に前記イヤーピース５に連結される構成となっている。
【００１４】
さらに、この音導体３の他端側で前記イヤーピース５の挿入部よりも下方まで下げられた部分に、対耳珠７への係合部３ｃを形成している。このため、補聴器を耳１に装着するときには、まず図１、図２に示すごとく本体ケース２を耳１の背面側に装着し、音導体３をこの耳１の上部に掛け、その後イヤーピース５を外耳道６内に挿入する。
【００１５】
そして、その状態においては、その音導体３の前記延長部３aにより、図１のごとく耳を本体ケース２と挟むことになり耳の背面に本体ケース２を保持することになる。また、その音導体３の前記係合部３ｃは図１の状態において対耳珠７の外側に位置しているので、指先でそれを図１のごとく対耳珠７に沿わせば、この音導体３自身が持っている弾性で対耳珠７に押し付けられ、この位置で安定した保持状態が保たれることになる。従って、図１の状態においては、イヤーピース５に連結された音導体３の他端側に一体形成した係合部３ｃが対耳珠７に係合した状態となっており、この結果としてイヤーピース５が外耳道６から不用意に抜け出すことは無い。
【００１６】
なお、音導体３は音道パイプにより形成する場合と、音道ワイヤーにより形成する場合があるが、図３に示すような形状、つまり、一端側から中部までの部分は、イヤーピース５の外耳道６の挿入部よりも本体ケース２とは反対側を下方に下がる延長部３ａとなっており、また、この延長部３ａに続く中部３ｂは、イヤーピース５の外耳道６への挿入部上方を、このイヤーピース５よりも前記本体ケース２側に横切り、さらに、この中部３ｂに続く他端側は、前記イヤーピース５の挿入部よりも下方まで下げられた後に前記イヤーピース５に連結され、この音導体３の他端側で前記イヤーピース５の挿入部よりも下方まで下げられた部分に、対耳珠７への係合部３ｃを形成した形状が保たれるようにしている。
【００１７】
但し、この音導体３は、ひも状の物であって弾性を有する物であるので上述した形状が保たれる物であっても、上述したごとく係合部３ｃを対耳珠７の外側から対耳珠７に押し込むときには容易に弾性変形して、この押し込み作業が簡単に行えるようになっている。
なお、前記係合部３ｃを含め音導体３全体は、その断面が円形となっているので、この係合部３ｃを対耳珠７に係合させていても痛感を伴わないものとなる。
【産業上の利用可能性】
【００１８】
以上のように本発明は、耳の背面に装着される本体ケースと、この本体ケースにその一端側が連結され、他端側にはイヤーピースが連結されるひも状の音導体とを備え、前記音導体の他端側は、前記イヤーピースの外耳道への挿入部上方を、このイヤーピースよりも前記本体ケース側に横切り、その後このイヤーピースへの挿入部よりも下方まで下げられた後に前記イヤーピースに連結される構成とし、この音導体の他端側で前記イヤーピースの挿入部よりも下方まで下げられた部分に、対耳珠への係合部を形成したものであるので、耳への装用感と装着性の向上を図ることができる。
【００１９】
すなわち、本発明における前記音導体の他端側は、前記イヤーピースの外耳道への挿入部上方を、このイヤーピースよりも前記本体ケース側に横切り、その後このイヤーピースへの挿入部よりも下方まで下げられた後に前記イヤーピースに連結される構成とし、この音導体の他端側で前記イヤーピースの挿入部よりも下方まで下げられた部分に、対耳珠への係合部を形成したものであるので、係合部は音導体の他端側を一体的に構成したものとなり、従って、この係合部を耳の対耳珠に係合させるときに、指で対耳珠に押し込むだけで良く、この結果として耳への装用感と装着性の向上を図ることができるのである。従って、補聴器としての活用が期待されるものである。
【符号の説明】
【００２０】
１  耳
２  本体ケース
３  音導体
３ａ  延長部
３ｂ  中部
３ｃ  係合部
４  結合部
５  イヤーピース
６  外耳道
７  対耳珠
【図１】
2011193331.tif 000003
【図２】
2011193331.tif 000004
【図３】
2011193331.tif 000005
【図４】
2011193331.tif 000006
【図５】
2011193331.tif 000007